(57)【特許請求の範囲】
【請求項１】
上下両端を開口しかつ下端部を細く形成した中空のホッパ９を備えた貯米部１と、下部を細く形成する洗浄タンク１０の内部に攪拌装置１２を備えた洗浄部２とを一体に構成し、前記貯米部１と前記洗浄部２は、モ−タ２８によりローラを駆動してフレ−ム８に設けた案内レ−ルを移動することで自動炊飯装置７の正面視において炊飯部３の炊飯器３２の上方を左右横方向に往復移動可能に構成し、
前記撹拌装置１２はモ−タ１６を駆動源として回転可能に設け且つ縦方向に軸芯イを有する中空の撹拌軸１７と、該撹拌軸１７に取付けた撹拌体１８とを具備し、撹拌体１８は横方向に、軸芯を有する円形の棒体で形成し、その基部を撹拌軸１７に揺動可能に取付け、中間部を下方に折り曲げ、先端部を下方に向かって洗浄タンク１０に沿うように折り曲げる構成とし、
下部に供給口５を有し、上部に排出口４を有する箱型ケ−ス３３の下端部に供給口５に連通する供給ホッパ３３ａを設け、上端部に排出口４に連通し且つ横方向に回動可能に設けた排出筒３７を着脱自在に設けている揚穀装置６を備え、
前記供給ホッパ３３ａには着脱自在に取付け且つ下端部を連通口３３ｂで供給ホッパ３３ａと連通する補助タンク３６を設け、前記連通口３３ｂはシャッタ３８で開閉する構成とし、
前記排出筒３７を補助タンク３６側に回動させて米供給スイッチを押すと供給ホッパ３３ａに供給された米が揚穀装置６で搬送されて補助タンク３６内に供給される構成とし、
前記貯米部１に貯留している米が所定量以下の場合を残米センサ４１が検出すると移動手段を駆動して貯米部１と洗浄部２とを揚穀装置６の排出口側に移動し、排出筒３７を貯米部１側に回動させて米供給スイッチを押すと共にシャッタ３８を開けると補助タンク３６内の米が揚穀装置６で搬送されて排出筒３７からホッパ９に供給される構成としたことを特徴とする自動炊飯装置。
【発明の詳細な説明】
【０００１】
【発明の属する技術分野】
この発明は、移動手段によって移動可能に設けた貯米部を有する自動炊飯装置に関する。
【０００２】
【従来の技術】
貯米部に貯留している米が少なくなると、作業者あるいは給穀装置が米を貯米部に供給する方法がある。
【０００３】
【発明が解決しようとする課題】
然し乍ら、貯米部が高い位置にあるので、作業者は重い米袋を持ち上げ、さらに供給するのに大変な重労働である。また、貯米部を移動する構成のものでは、その都度、貯米部を給穀装置側に移動させる必要があり、省力化ができていない。
【０００４】
【課題を解決するための手段】
この発明は、このような課題を解決する穀粒洗浄装置を提供するものであって、つぎのような技術的手段を講じた。すなわち、上下両端を開口しかつ下端部を細く形成した中空のホッパ９を備えた貯米部１と、下部を細く形成する洗浄タンク１０の内部に攪拌装置１２を備えた洗浄部２とを一体に構成し、前記貯米部１と前記洗浄部２は、モ−タ２８によりローラを駆動してフレ−ム８に設けた案内レ−ルを移動することで自動炊飯装置７の正面視において炊飯部３の炊飯器３２の上方を左右横方向に往復移動可能に構成し、
前記撹拌装置１２はモ−タ１６を駆動源として回転可能に設け且つ縦方向に軸芯イを有する中空の撹拌軸１７と、該撹拌軸１７に取付けた撹拌体１８とを具備し、撹拌体１８は横方向に、軸芯を有する円形の棒体で形成し、その基部を撹拌軸１７に揺動可能に取付け、中間部を下方に折り曲げ、先端部を下方に向かって洗浄タンク１０に沿うように折り曲げる構成とし、
下部に供給口５を有し、上部に排出口４を有する箱型ケ−ス３３の下端部に供給口５に連通する供給ホッパ３３ａを設け、上端部に排出口４に連通し且つ横方向に回動可能に設けた排出筒３７を着脱自在に設けている揚穀装置６を備え、
前記供給ホッパ３３ａには着脱自在に取付け且つ下端部を連通口３３ｂで供給ホッパ３３ａと連通する補助タンク３６を設け、前記連通口３３ｂはシャッタ３８で開閉する構成とし、
前記排出筒３７を補助タンク３６側に回動させて米供給スイッチを押すと供給ホッパ３３ａに供給された米が揚穀装置６で搬送されて補助タンク３６内に供給される構成とし、
前記貯米部１に貯留している米が所定量以下の場合を残米センサ４１が検出すると移動手段を駆動して貯米部１と洗浄部２とを揚穀装置６の排出口側に移動し、排出筒３７を貯米部１側に回動させて米供給スイッチを押すと共にシャッタ３８を開けると補助タンク３６内の米が揚穀装置６で搬送されて排出筒３７からホッパ９に供給される構成としたことを特徴とする自動炊飯装置とする。
【０００５】
【発明の作用】
作業者は供給ホッパ３３ａに米を投入すると、この米は揚穀装置６で上方に搬送され、排出筒３７から補助タンク３６に貯留される。
そして、作業条件をセットしてから作業スイッチを入りにして作業を開始すると、貯米部１の米は所定量を洗浄部２に供給され、撹拌軸１７の回転により撹拌体１８は横方向に揺動してこの水及び米を撹拌し洗浄される。そして、給水源から送られてきた水と洗浄手段により洗浄された後に炊飯部３に送り込まれて炊飯される。このような、炊飯作業において、貯米部１に貯留している米が所定量以下になったことを残米センサ４１が検出すると、貯米部１と洗浄部２は移動手段によって揚穀装置６の排出口側に移動する。作業者は排出筒３７を貯米部１側に回動させて米供給スイッチを押してシャッタ３８を上方に移動させると、補助タンク３６に貯留している米は連通口３３ｂから供給ホッパ３３ａに入り、そして、縦方向に移動する各バケット３４により上方に搬送されて排出筒３７からをホッパ９に供給される。
【０００６】
【発明の効果】
貯米部１貯留している米が少なくなると、貯米部１を揚穀装置側に移動する。そして、作業者は排出筒３７を貯米部１側に回動させて米供給スイッチを押してシャッタ３８を上方に移動させると、補助タンク３６に貯留している米は連通口３３ｂから供給ホッパ３３ａに入り、そして、縦方向に移動する各バケット３４により上方に搬送されて排出筒３７からをホッパ９に供給されるので、米の供給作業が容易になり、作業能率を高め得る。また、洗浄部２の洗浄作業において、撹拌体１８は横方向に揺動するので、撹拌力を高めて洗浄効果を向上することができる。
【０００７】
【発明の実施の形態】
以下、本発明の実施の形態を図面に基づいて具体的に説明する。まず、その構成について説明すると、自動炊飯装置７はフレ−ム８に貯米部１と洗浄部２と炊飯部３とを上側から順次配設し、炊飯部３を前後方向に移動可能に設けている。
【０００８】
そして、この貯米部１は上下両端を開口しかつ下端部を細く形成した中空のホッパ９、後述する洗浄タンク１０とを連通する連通路に外面の一部に受け孔１１ａを有し回転可能に設けている円筒形の給米体１１とを備えている。洗浄部２は下部を細く形成し且つ前記貯米部１と一体に構成した中空の洗浄タンク１０と、該洗浄タンク１０の中央部に設けた撹拌装置１２と、洗浄タンク１０の下端部に着脱自在に取り付けたジャケット１３の排米口１４を開閉する投下弁１５等を備えている。そして、該撹拌装置１２はモ−タ１６を駆動源として回転可能に設け且つ縦方向に軸芯イを有する中空の撹拌軸１７と、該撹拌軸１７に取付けた撹拌体１８とを具備している。
【０００９】
撹拌体１８は横方向に軸芯を有する円形の棒体で形成し、そして、その基部を撹拌軸１７に揺動可能に取付け、中間部を下方に折り曲げ、先端部を下方に向かって洗浄タンク１０に沿うように折り曲げている。なお、撹拌体１８はカム機構により強制的に揺動する構成としてもよい。また、該撹拌体１８は撹拌軸１７の略４等配の位置に配置すると共に撹拌軸１７の軸芯から上部の横方向の軸端までの長さ及び下向きの長さを相違している。
【００１０】
１９はホッパ９を覆うケ−ス２０の前壁に着脱自在に設けた操作パネルであって、炊飯条件を設定する各種のスイッチを配置したスイッチ部Ａ、釜数や吸い反作業状態などを表示する表示具を有する表示部Ｂを設けている。投下弁１５はモ−タ２１を駆動源とし撹拌軸１７の内部を昇降する弁軸２２の下端部に着脱自在に設けている。そして、洗浄タンク１の上部には後部にオ−バ−フロ−管２３により前記ジャケット１３と連通している矩形上のオ−バ−フロ−口２４を設けている。
【００１１】
ジャケット１３の中間部側壁に排水口２５を設け、ソレノイド２６により作動する作動機構を介して開閉する排水口開閉弁２７を設けている。前記貯米部１と洗浄部２は、フレ−ム８に設けた案内レ−ルを移動するロ−ラ、ロ−ラを駆動するモ−タ２８等の移動手段により自動炊飯装置７の正面視において左右横方向に往復移動可能に構成している。
【００１２】
炊飯部３は加熱手段をガス、電気等としており、外釜２９、内釜３０、内釜３０を開閉する蓋３１等を有する炊飯器３２を備えている。揚穀装置６は下部に供給口５を有し、上部に排出口４を有する箱型ケ−ス３３に、所定間隔置きにバケット３４を有する無端帯３５を縦方向に移動可能に内装しているバケット型である。そして、該箱型ケ−ス３３の下端部に供給口５に連通する供給ホッパ３３ａを設け、上端部に排出口４に連通し且つ横方向に回動可能に設けた排出筒３７を着脱自在に設けている。
【００１３】
補助タンク３６は前記供給ホッパ３３ａに着脱自在に取付け且つ下端部に供給ホッパ３３ａに連通する連通口３３ｂを設けている。３８は補助タンク３６の連通口３３ｂ付近に縦方向に移動可能に設け、連通口３３ｂを開閉するシャッタである。図５のブロック回路を説明すると、３９はデ−タや制御プログラム等を内蔵するメモリを有するマイクロコンピュ−タの演算制御部（以下「ＣＰＵ」と呼ぶ）であって、算術・論理および比較演算等を行う。
【００１４】
そして、該ＣＰＵ３９にインタ−フェイス４０を介して入力される主な情報としては、ホッパ９の下端部に設けた残米センサ４１からのホッパ９に貯留している米補給情報がある。また、ＣＰＵ３９から出力インタ−フェイス４２を介して出力する指令信号としては、前記モ−タ１６，２１への駆動指令信号、残米センサ４１の検出によりモ−タ２８を駆動する駆動指令信号、ソレノイド２６への励磁信号、揚穀装置６の駆動源であるモ−タ４３への駆動信号、給米体１１を回転するモ−タ４４への駆動指令信号等がある。
【００１５】
つぎに、その作用について説明する。まず、作業者は操作パネル１９のスイッチ部Ａの各種スイッチ及び炊飯量スイッチを操作して炊飯条件を設定し、米供給スイッチを入りにする。そして、供給ホッパ３３ａに米を供給すると、ＣＰＵ３９から出力インタ−フェイス４２を介して駆動指令信号を受けたモ−タ４３の起動に関連して縦方向に移動する各バケット３４により上方に搬送される。
【００１６】
その後、搬送終端部に到達するとバケット３４から排出され、排出口４、排出筒３７を通って貯米部１のホッパ９に送り込まれ、そして、米がホッパ９に満杯になると、ＣＰＵ３９から出力インタ−フェイス４２を介して米供給停止情報を出力しモ−タ４３を停止する。つづいて、排出筒３７を補助タンク３６の上部に回動し、米供給スイッチを入りにすると、前記と同様にＣＰＵ３９は出力インタ−フェイス４２を介して駆動指令信号を出力しモ−タ４３を駆動する。作業者は供給ホッパ３３ａに米を投入すると、この米は縦方向に移動する各バケット３４により上方に搬送され、排出筒３７から補助タンク３６に貯留される。
【００１７】
したがって、シャッタ３８を上方に移動すると、補助タンク３６に貯留している米は連通口３３ｂから供給ホッパ３３ａに入り、そして、縦方向に移動する各バケット３４により上方に搬送されて排出筒３７からをホッパ９に供給するので、米の供給作業が容易になる。つぎに、作業開始スイッチを入りにすると、出力インタ−フェイス４２を介してＣＰＵ３９から駆動指令信号を受けたモ−タ４４を起動して給米体１１を駆動しホッパ９に貯留している米を供給する。そして、給米体１１の回転数が所定回転数になると、ＣＰＵ３９はモ−タ４４に停止信号を出力しモ−タ４４の駆動を停止する。
【００１８】
そして、ＣＰＵ３９は電磁弁（図示せず）へ「開」信号を出力し、また、モ−タ１９が起動するので、給水源から送られてきた水は管を通ってノズルからタンク内に散水すると共に撹拌軸２の回転により撹拌体１８は横方向に揺動してこの水及び米を撹拌し洗浄する。この洗浄作業において、撹拌体１８は横方向に揺動するので、撹拌力を高めて洗浄効果を向上する。
【００１９】
この時、生じた汚水はタンク１からジャケット１６の排水口２８を通って機外に排出される。洗浄作業を終えると、電磁弁が閉じると共に、モ−タ１９の駆動を停止するので、給水と撹拌を停止する。タンク内の汚水が排水されると（時間で管理している）、電磁弁が開き、励磁したソレノイド２６によりが排水口開閉弁２７は移動して排水口２５を閉じるので、送られてきた水は管のノズルからタンク内に供給され、洗浄タンク１０に水を貯留する。そして、所定時間になると、電磁弁を閉じ、給水作業を終了する。
【００２０】
つぎに、ＣＰＵ３９から出力インタ−フェイス４２を介して駆動指令信号を受けたモ−タ２１は起動して弁軸２２及び投下弁１５を下降して排米口１４を開放する。すると、洗浄タンク１０の米と水は落下して下方の炊飯部３の炊飯器３２に収容され、その後炊飯される。また、貯米部１と洗浄部２とは、ＣＰＵ３９から出力インタ−フェイス４２を介して駆動指令信号を受けたモ−タ２８の起動によって回転するロ−ラ等により、横方向に移動して炊飯部３の炊飯器３２の上方に位置している。
【００２１】
そして、残米センサ４１が米追加を検出すると、ＣＰＵ３９から駆動指令信号を入力したモ−タ２８は起動して貯米部１と洗浄部２とを揚穀装置６の近くに移動し、モ−タ２８を停止するので、前記の作業を行ってホッパ９に米を補給すれびよい。
【図面の簡単な説明】
【図１】 自動炊飯装置の正面図。
【図２】 一部切除したタンクの側断面図。
【図３】 操作パネルの正面図。
【図４】 フロ−チャ−ト。
【図５】 ブロック回路。
【符号の説明】
１ 貯米部
２ 洗浄部
３ 炊飯部
４ 排出口
５ 供給口
６ 揚穀装置
【図１】
0003823545.tif 000002
【図２】
0003823545.tif 000003
【図３】
0003823545.tif 000004
【図４】
0003823545.tif 000005
【図５】
0003823545.tif 000006